(57)【要約】      （修正有）【課題】発光領域の利用率を効果的に高めた有機発光ダイオード照明装置を提供する。【解決手段】基板２０と、有機発光構造２１と、少なくとも２つの電極接続ユニット２２とを含む有機発光ダイオード照明装置２である。基板は複数の辺を有する。有機発光構造は、基板に配置され、かつ基板の一部は、有機発光構造から露出される。有機発光構造は、順に積層される第１電極層２１１と、有機発光層２１２と、第２電極層２１３とを有する。少なくとも２つの電極接続ユニットは、有機発光構造から基板が露出される部分に配置され、かつ複数の辺のうちの一辺と有機発光構造との間に位置される。少なくとも２つの電極接続ユニットは、それぞれ第１電極層と第２電極層とに電気的に接続される。【選択図】図３
2015103526.tif 000002
【特許請求の範囲】
【請求項１】
基板と、有機発光構造と、少なくとも２つの電極接続ユニットとを含む有機発光ダイオード照明装置において、
前記基板は、複数の辺を有し、
前記有機発光構造は、前記基板に配置され、かつ前記基板の一部は、前記有機発光構造から露出され、前記有機発光構造は、順に積層される第１電極層と、有機発光層と、第２電極層とを有し、
前記少なくとも２つの電極接続ユニットは、前記有機発光構造から前記基板が露出される部分に配置され、かつ前記複数の辺のうちの一辺と前記有機発光構造との間に配置され、かつ前記少なくとも２つの電極接続ユニットは、それぞれ前記第１電極層と前記第２電極層とに電気的に接続されることを特徴とする有機発光ダイオード照明装置。
【請求項２】
前記基板の形状は、矩形であり、前記複数の辺は、相対する二長辺と相対する二短辺とを含み、前記少なくとも２つの電極接続ユニットは、前記二短辺のうちの一短辺と前記有機発光構造との間に配置されることを特徴とする請求項１に記載の有機発光ダイオード照明装置。
【請求項３】
各長辺の長さと各短辺の長さとの比は、１.５〜３.５：１であることを特徴とする請求項２に記載の有機発光ダイオード照明装置。
【請求項４】
前記基板の中心位置を通る第１基準線と、前記有機発光構造の中心位置を通る第２基準線とをさらに含み、前記第１基準線と前記第２基準線とは、重ならないことを特徴とする請求項１に記載の有機発光ダイオード照明装置。
【請求項５】
前記有機発光構造の上方に配置される保護層をさらに含むことを特徴とする請求項１に記載の有機発光ダイオード照明装置。
【請求項６】
前記保護層と前記基板との間に配置される封止剤をさらに含み、前記保護層は、前記封止剤により前記基板に固定されることを特徴とする請求項５に記載の有機発光ダイオード照明装置。
【請求項７】
前記保護層の材質は、ガラス又はプラスチックを含み、前記封止剤の材料は、紫外線硬化型接着剤又はガラスセメント含むことを特徴とする請求項６に記載の有機発光ダイオード照明装置。
【請求項８】
前記基板は、さらに、配線を有し、前記第１電極層と前記第２電極層とは、それぞれ前記配線により、前記少なくとも２つの電極接続ユニットに電気的に接続されることを特徴とする請求項１に記載の有機発光ダイオード照明装置。
【請求項９】
前記第１電極層は、陽極電極層であり、前記第２電極層は、陰極電極層であることを特徴とする請求項８に記載の有機発光ダイオード照明装置。
【発明の詳細な説明】
【技術分野】
【０００１】
本発明は照明装置に関し、特に、有機発光ダイオード照明装置に関する。
【背景技術】
【０００２】
有機発光ダイオードは、自発光、低消費電力、高反応速度などの利点を有するため、ディスプレイ及び照明分野での応用に広く注目されている。有機発光ダイオードでは、蛍光又は燐光有機化合物の発光層が電気的に励起されることで光が生成される。
【０００３】
図１は、従来の有機発光ダイオード照明装置を示す断面概略図である。図１に示すように、従来の有機発光ダイオード照明装置１は、基板１０と、基板１０に順に積層される陽極電極層１１と、有機発光層１２と、陰極電極層１３とを含む。さらに、封止層１４は、封止剤１５により基板１０に固定される。陽極電極層１１及び陰極電極層１３は、それぞれ、封止層１４の外へ伸びる接続部１１０、１３０を有する。接続部１１０、１３０は、外部電源（図示せず）へ電気的に接続するためのものである。
【０００４】
図２は、図１に示す従来の有機発光ダイオード照明装置を示す上面概略図である。図２に示すように、接続部１１０、１３０は、基板１０の周縁部に配置される。従来の有機発光ダイオード照明装置１の製造過程においては、基板１０に接続部１１０、１３０を設ける領域を残す必要がある。このため、基板１０の周縁部に接続部１１０、１３０を配置するために十分かつ対称的な空間を提供できるように、有機発光層１２を基板１０の中心に配置しなければならない。
【発明の概要】
【発明が解決しようとする課題】
【０００５】
しかしながら、有機発光ダイオード照明装置１の構造では、発光できる領域は比較的小さくなる。例えば、１００ｍｍ×１００ｍｍのサイズの有機発光ダイオード照明装置において、発光できる領域は、８７ｍｍ×８７ｍｍのみである。言い換えれば、発光領域の利用率は、７５.７％しかない。したがって、有機発光ダイオード照明装置の発光領域の利用率を効果的に高めることは、当業者の主要な懸念事項の１つである。
【課題を解決するための手段】
【０００６】
本発明の目的の１つは、発光領域の利用率を効果的に高めた有機発光ダイオード照明装置を提供する。
【０００７】
本発明は、上記課題を達成するため、基板と、有機発光構造と、少なくとも２つの電極接続ユニットとを含む有機発光ダイオード照明装置を提供する。基板は、複数の辺を有する。有機発光構造は、基板に配置され、かつ基板の一部は、有機発光構造から露出される。有機発光構造は、順に積層される第１電極層と、有機発光層と、第２電極層とを有する。少なくとも２つの電極接続ユニットは、有機発光構造から基板が露出される部分に配置され、かつ複数の辺のうちの一辺と有機発光構造との間に配置される。少なくとも２つの電極接続ユニットは、それぞれ第１電極層と第２電極層とに電気的に接続される。
【０００８】
本発明の１つの実施例において、基板の形状は、矩形であり、複数の辺は、相対する二長辺と相対する二短辺とを含み、少なくとも２つの電極接続ユニットは、二短辺のうちの一短辺と有機発光構造との間に配置される。
【０００９】
本発明の１つの実施例において、各長辺の長さと各短辺の長さとの比は、１.５〜３.５：１である。
【００１０】
本発明の１つの実施例において、有機発光ダイオード照明装置は、さらに、基板の中心位置を通る第１基準線と、有機発光構造の中心位置を通る第２基準線とを含み、また第１基準線と第２基準線とは、重ならない。
【００１１】
本発明の１つの実施例において、有機発光ダイオード照明装置は、さらに、有機発光構造の上方に配置される保護層を含む。
【００１２】
本発明の１つの実施例において、有機発光ダイオード照明装置は、さらに、保護層と基板との間に配置される封止剤を含み、保護層は、封止剤により基板に固定される。
【００１３】
本発明の１つの実施例において、保護層の材質は、ガラス又はプラスチックを含み、封止剤の材料は、紫外線硬化型接着剤又はガラスセメントを含む。
【００１４】
本発明の１つの実施例において、基板は、さらに配線を有し、第１電極層と第２電極層とは、それぞれ、配線により、少なくとも２つの電極接続ユニットに電気的に接続される。
【００１５】
本発明の１つの実施例において、第１電極層は、陽極電極層であり、第２電極層は、陰極電極層である。
【発明の効果】
【００１６】
本発明に係る有機発光ダイオード照明装置は、基板の少なくとも一辺と有機発光構造との間の領域にのみ少なくとも２つの電極接続ユニットを配置し、かつ基板の少なくとも一辺は、矩形の短辺であり、また基板の配線により少なくとも２つの電極接続ユニットを第１電極層と第２電極層とに電気的に接続することにより、基板に有機発光構造を配置する領域の面積は、従来の構造に比べて広くなるため、発光領域の利用率低下の問題を効果的に改善することができる。
【図面の簡単な説明】
【００１７】
【図１】図１は、従来の有機発光ダイオード照明装置を示す断面概略図である。
【図２】図２は、図１に示す従来の有機発光ダイオード照明装置を示す上面概略図である。
【図３】図３は、本発明の実施例に係る有機発光ダイオード照明装置を示す断面概略図である。
【図４】図４は、図３に示す有機発光ダイオード照明装置を示す上面概略図である。
【発明を実施するための形態】
【００１８】
以下、本発明の目的、技術構成及び利点をさらに明確かつ明白にするため、図面及び実施例を参照しながら本発明についてさらに詳細に説明する。ここで記載している具体的な実施例は本発明の解釈にのみ用いるものであって、本発明を限定するものではないと理解すべきである。
【００１９】
図３は、本発明の実施例に係る有機発光ダイオード照明装置２を示す断面概略図である。図４は、図３に示す有機発光ダイオード照明装置２を示す上面概略図である。図３及び図４に示すように、本実施例に係る有機発光ダイオード照明装置２は、基板２０と、有機発光構造２１と、少なくとも２つの電極接続ユニット２２、２３とを含む。基板２０は、複数の互いに隣接する辺２０１、２０２、２０３、２０４を有する。有機発光構造２１は、基板２０に配置され、かつ基板２０の一部は有機発光構造２１から露出される。有機発光構造２１は、基板２０に順に積層される第１電極層２１１と、有機発光層２１２と、第２電極層２１３とを有する。２つの電極接続ユニット２２、２３は、有機発光構造２１から基板２０が露出される部分に配置され、かつ複数の辺２０１、２０２、２０３、２０４のうちの一辺２０１と有機発光構造２１との間に位置される。２つの電極接続ユニット２２、２３は、それぞれ第１電極層２１１と第２電極層２１３とに電気的に接続される。２つの電極接続ユニット２２、２３は、外部電源（図示せず）と電気的に接続するためのものである。
【００２０】
図３に示すように、本実施例に係る有機発光ダイオード照明装置２は、さらに、有機発光構造２１の上方に配置される保護層２４と、保護層２４と基板２０との間に配置される封止剤２５とを含む。保護層２４は、封止剤２５により基板２０に固定される。本実施例において、保護層２４の材質は、例えば、ガラス又はプラスチックであるが、本発明はそれらに限定されない。封止剤２５の材質は、例えば、紫外線硬化型接着剤（ＵＶ接着剤）又はガラスセメントであるが、本発明はそれらに限定されない。さらに、本実施例において、基板２０は、さらに配線（図示せず）を有し、第１電極層２１１及び第２電極層２１３は、それぞれ、配線により、２つの電極接続ユニット２２、２３に電気的に接続される。本実施例において、第１電極層２１１は、例えば、陽極電極層であり、第２電極層２１３は、例えば、陰極電極層であるが、本発明はそれらに限定されない。
【００２１】
図４に示すように、本実施例において、基板２０の形状は、例えば、矩形（長方形）であり、基板２０の辺２０１、２０３は、矩形の相対する二短辺であり、基板２０の辺２０２、２０４は、矩形の相対する二長辺である。本実施例において、２つの電極接続ユニット２２、２３は、一短辺（すなわち、辺２０１）と有機発光構造２１との間に位置する。２つの電極接続ユニット２２、２３は、基板２０の辺２０１に近い領域にのみ配置されるため、基板２０の他の三辺２０２、２０３、２０４は、電極接続ユニットの配置に使わなくて済む。すなわち、基板２０の他の三辺２０２、２０３、２０４に近い領域は、有機発光構造２１の配置領域にすることができる。これにより、発光面積が大きい有機発光構造を配置することができる。又、２つの電極接続ユニット２２、２３は、短辺（辺２０１）に近い領域に配置されるため、長辺（辺２０２、２０４）に近い領域に比べて、２つの電極接続ユニット２２、２３を配置できる領域の面積は比較的に小さい。従って、この構造設計によれば、確実に発光領域の利用率を効果的に高めることができる。例えば、基板２０の長辺の長さが１０３ｍｍであり、短辺の長さが５７ｍｍであり、長辺と短辺の比が約１.８：１である場合、有機発光構造２１の配置領域にすることのできる基板２０の面積は、９０％以上である。特筆すべきは、有機発光構造２１が基板２０に配置される領域をより明確に示すため、図４において保護層２４及び封止剤２５などの部材は省略されている。
【００２２】
言及に値することは、基板２０の長辺と短辺の比が約１.８：１であることは、本発明の１つの実施例に過ぎず、本発明は、それに限定されない。他の実施例では、基板２０の長辺と短辺の比は１.５〜３.５：１であってよい。さらに、基板２０の形状も、長辺と短辺を有する矩形に限定されない。他の実施例では、基板２０の形状は、四辺が等しい正方形であってよい。
【００２３】
特筆すべきは、本実施例において、有機発光構造２１の形状は、基板２０の形状に類似する。また、有機発光構造２１が基板２０に配置される位置は、辺２０３の側に近い。詳しくは、図３及び図４に示すように、有機発光ダイオード照明装置１は、第１基準線Ｌ１と第２基準線Ｌ２とを有する。第１基準線Ｌ１は、基板２０の中心位置を通り、第２基準線Ｌ２は、有機発光構造２１の中心位置を通るが、第１基準線Ｌ１と第２基準線Ｌ２とは互いに重ならない。この構造設計によれば、基板２０の辺２０１（短辺）と有機発光構造２１との間の距離が長くなる。言い換えれば、基板２０が有機発光構造２１から露出される領域が広くなり、２つの電極接続ユニット２２、２３を配置するために十分な空間を提供することができる。
【００２４】
以上より、本発明に係る有機発光ダイオード照明装置の利点は、基板の少なくとも一辺と有機発光構造との間の領域にのみ少なくとも２つの電極接続ユニットを配置し、かつ基板の少なくとも一辺は、矩形的短辺であり、また基板の配線により少なくとも２つの電極接続ユニットを第１電極層及び第２電極層に電気的に接続することにある。この構造設計によれば、基板に有機発光構造を配置する領域の面積は、従来の構造に比べて、大きく増加するため、発光領域の利用率低下の問題を効果的に改善することができる。
【００２５】
以上に説明したのは、本発明の比較的好ましい実施例であって、本発明を制限するためのものではない。添付の特許請求の範囲の精神及び範囲内に含まれる種々の変更や類似の構成は、すべて最も広い解釈によって本発明の保護範囲内に含まれる。
【符号の説明】
【００２６】
１  有機発光ダイオード照明装置
１０  基板
１１  陽極電極層
１２  有機発光層
１３  陰極電極層
１４  封止層
１５  封止剤
１１０、１３０  接続部
２  有機発光ダイオード照明装置
２０  基板
２１  有機発光構造
２２、２３  電極接続ユニット
２４  保護層
２５  封止剤
２０１、２０２、２０３、２０４  辺
２１１  第１電極層
２１２  有機発光層
２１３  第２電極層
Ｌ１  第１基準線
Ｌ２  第２基準線
【図１】
2015103526.tif 000003
【図２】
2015103526.tif 000004
【図３】
2015103526.tif 000005
【図４】
2015103526.tif 000006